(57)【要約】    【課題】  通常の鍼治療の効果に加え、薬剤の経皮的吸収効果を併せ持つ鍼灸針を提供する。    【解決手段】  鍼灸針（円皮針）は、片側が粘着面（粘着剤の層）をなす略円形の絆創膏（粘着テープ）１と、絆創膏１の粘着面側に剥離可能に貼り付けられる剥離紙２と、先端部が絆創膏１及び剥離紙２の孔を貫通して突出し、基端部が絆創膏１の非粘着面側に配置される針体３と、絆創膏１の非粘着面上に成形され針体３の基端部を覆って固定する樹脂材４と、を含んで構成される。ここにおいて、絆創膏１の粘着剤に薬剤を混合させる。薬剤としては、ｌ−メントール、ｄ−カンフル等の涼感を感じさせる程度のものから、消炎鎮痛剤、ビタミン、抗アレルギー剤など所望の薬剤との組み合わせが可能である。【選択図】  図１
2010029512.tif 000002
【特許請求の範囲】
【請求項１】
片側が粘着剤の層により形成される絆創膏と、
絆創膏の中央部に固定され、針先が絆創膏の粘着剤の層より突出する針体と、
を含んで構成され、
前記粘着剤に薬剤を混合させたことを特徴とする薬剤付き鍼灸針。
【請求項２】
前記絆創膏は、基材と、薬剤を混合させた粘着剤の層との、２層構造とすることを特徴とする請求項１記載の薬剤付き鍼灸針。
【発明の詳細な説明】
【技術分野】
【０００１】
本発明は、鍼治療に用いる鍼灸針に関し、特に、鍼治療の効能に加えて、薬剤の効能を併せ持つ、薬剤付き鍼灸針に関する。
【背景技術】
【０００２】
従来、鍼治療に用いる鍼灸針として、通常の鍼治療の効能効果に加えて、薬剤を体内に経皮的投与し得るものがある。
具体的には、特許文献１のように、針体の表面にその軸線と略平行な細溝を設けて、この細溝に薬剤を保持させたものや、特許文献２のように、針体にその軸線と交差する方向に貫通する細孔を設けて、この細孔に薬剤を保持させたものがある。
【０００３】
このような薬剤付き鍼灸針を、治療部位（つぼ）に刺入することによって、通常の鍼治療の効能効果が得られると共に、体内に薬剤が経皮的投与されるのである。
【特許文献１】特開２００３−１１６９６２号公報
【特許文献２】特開２００６−２９６９２４号公報
【発明の開示】
【発明が解決しようとする課題】
【０００４】
しかしながら、上記のような薬剤付き鍼灸針では、そもそも細い針に、溝や孔を加工する必要があり、安価に製造することが難しいばかりか、針の強度を確保することも難しい。また、薬剤保持用の溝や孔は極めて小さなものとならざるを得ないため、十分な量の薬剤を保持させることができず、投与される薬剤も少量となって、薬効が制限される。
本発明は、このような従来の問題点に鑑み、針体を加工をすることなく、簡単に製造でき、通常の鍼治療の効能効果に加えて、所望の量の薬剤の経皮的投与（吸収）が可能な薬剤付き鍼灸針を提供することを目的とする。
【課題を解決するための手段】
【０００５】
このため、本発明では、片側が粘着剤の層により形成される絆創膏と、絆創膏の中央部に固定され、針先が絆創膏の粘着剤の層より突出する針体と、を含んで構成される鍼灸針を用い、前記粘着剤に薬剤を混合させる構成とする。
【発明の効果】
【０００６】
本発明によれば、皮膚に針を刺し入れたときに、針を留置するために皮膚に貼り付ける絆創膏の粘着剤に薬剤を混合させることにより、鍼治療の効果に加え、薬剤の経皮的吸収効果を奏することができる。
【発明を実施するための最良の形態】
【０００７】
以下に本発明の実施の形態を図面に基づいて説明する。
図１は本発明に係る薬剤付き鍼灸針の一実施形態を示し、（ａ）は平面図、（ｂ）は正面図、（ｃ）は底面図である。図２は図１（ｂ）中のＡ部の拡大断面図である。
この鍼灸針（円皮針）は、絆創膏（粘着テープ）１と、剥離紙２と、針体３と、樹脂材４とから構成される。
【０００８】
絆創膏（粘着テープ）１は、円形状で、片面に粘着性を有し、中央部には孔１ａが設けられている。
剥離紙２は、円形状で、その径は絆創膏１の径と比してやや大きく、中央部に孔２ａを有し、絆創膏１の粘着面側に剥離可能に貼り付けられている。また、剥離紙２は、孔２ａを通る分割線２ｂで分割されていて、施術時の剥離等を容易にしている。
【０００９】
針体３は、金属製（ステンレス製）で、Ｌ字状に屈曲されている。針体３の先端部（針先）３ａは、絆創膏１及び剥離紙２の孔１ａ及び２ａを貫通して突出しており、この突出した部分により皮下に刺入する。一方、基端部３ｂは、偏平に加工されて、絆創膏１の非粘着面側にこれと略平行に配置されている。
樹脂材４は、絆創膏１の非粘着面上に、針体３の基端部３ｂを覆うように射出成形又はポッティング（樹脂盛り加工）されて、針体３を固定している。
【００１０】
以上述べたように、本実施形態での鍼灸針（円皮針）は、片面が粘着面をなし、中央部に孔を有する略円形の絆創膏（粘着テープ）１と、絆創膏１の粘着面側に剥離可能に貼り付けられ、中央部に孔を有する剥離紙２と、先端部が絆創膏１及び剥離紙２の孔を貫通して突出し、基端部が絆創膏１の非粘着面側に配置される針体３と、絆創膏１の非粘着面上に成形され、針体３の基端部を覆って固定する樹脂材４と、を含んで構成される。
【００１１】
ここにおいて、前記絆創膏（粘着テープ）１は、図３に示すように、紙、布、不織布、或いはプラスチックのテープからできている基材１１と、この基材１１の片側に設けられる粘着剤の層１２との、２層構造とするが、粘着剤に薬剤を混合させて、基材１１と、薬剤を混合させた粘着剤の層１２との、２層構造としてある。
薬剤としては、ｌ−メントール、ｄ−カンフル等の涼感を感じさせる程度のものから、消炎鎮痛剤、ビタミン、抗アレルギー剤など、所望の薬効を有するもの、或いは、これらを組み合わせて用いてもよい。
【００１２】
図４は本鍼灸針を収納容器に収納した状態（包装形態）を示している。
収納容器は、鍼（円皮針）を針先を下にして収納可能な凹部を有する樹脂製の容器本体５と、容器本体５内に鍼（円皮針）を収納した状態で、容器本体５の上面の外枠部分に剥離可能に貼り付けられて凹部の開口部を密閉する滅菌ガス透過性のシート材６とから構成される。そして、収納・密閉後に、滅菌処理（ガス滅菌）を施して、完成する。
【００１３】
以上のようにして完成した鍼灸針（円皮針）の使用に際しては、鍼灸針（円皮針）を収納容器から取り出した後、絆創膏１から剥離紙２の一部を剥がして、針体３をつぼにあてがい、刺通しつつ、粘着面の露出した部分を皮膚に貼付し、固定する。さらに、剥離紙２の残りの部分を剥がし、この部分の粘着面も皮膚に貼付する。
本実施形態によれば、鍼灸針を皮膚に留置するための絆創膏１の粘着剤の層１２に薬剤を混合させることにより、通常の鍼治療の効果に加え、薬剤の経皮的吸収効果を奏することができる。
【００１４】
また、粘着剤に薬剤を混合させるのは容易であり、大量生産が可能で、安価に薬剤付き鍼灸針を提供できる。
使用方法について見ても、絆創膏１から剥離紙２を剥がして、所定の位置に貼付するだけであり、非常に簡便である。
更に、通常の貼付薬（テープ製剤）に比べると、次のような効果を有する。皮膚の角層はバリヤー性が高く、テープ製剤からの薬剤の浸透はゆっくりとならざるを得ない。これに対し、本発明のように鍼灸針に適用することで、角質層〜真皮層まで針を刺入しているので、薬剤の浸透速度が早くなる。また、鍼治療の効果として、組織の血流量が増加することで、薬効の発現を速やかにすることができる。
【００１５】
特に、図示の円皮針形状は、針先の周囲の絆創膏を皮膚に密着させることができ、効果的に薬剤を浸透させることができる。
尚、本発明の実施形態について説明したが、これに限定することを意図するものではなく、本発明の実施に際しては、特許請求の範囲に記載の趣旨及び範囲内で、様々な変更を行うことができる。
【００１６】
例えば、針の本数は１本に限るものではなく、本数を増やすことで、薬効の程度、速度をコントロールすることができる。
また、薬剤の選択により、鍼＋冷感作用、鍼＋温熱作用を作り出すことができ、鍼治療効果をより一層高めることができる。
【図面の簡単な説明】
【００１７】
【図１】本発明の一実施形態を示す鍼灸針の平面図（ａ）、正面図（ｂ）、及び、底面図（ｃ）
【図２】図１のＡ部の拡大断面図
【図３】絆創膏の層構成を示す拡大断面図
【図４】鍼灸針の容器収納状態を示す図
【符号の説明】
【００１８】
１  絆創膏（粘着テープ）
１ａ  孔
２  剥離紙
２ａ  孔
２ｂ  分割線
３  針体
３ａ  先端部（針先）
３ｂ  基端部
４  樹脂材
５  収納容器本体
６  シート材
１１  絆創膏の基材
１２  薬剤を混合させた粘着剤の層
【図１】
2010029512.tif 000003
【図２】
2010029512.tif 000004
【図３】
2010029512.tif 000005
【図４】
2010029512.tif 000006